(57)【要約】      （修正有）【課題】複数のセンサからのデータの監視及び収集並びに該複数のセンサの効率的な管理を可能にする。【解決手段】センサベース検出システムにおいて、第１検出センサに関連するデータを受信するステップ１６１０と、第２検出センサに関連するデータを受信するステップ１６２０と、第１検出センサに関連するデータが第１条件を満足し、かつ、第２検出センサに関連するデータが第２条件を満足する場合に、第１検出センサ及び第２検出センサを一緒にグループ化するステップ１６３０と、を有する。【選択図】図１６
2016024822.tif 000002
【特許請求の範囲】
【請求項１】
第１検出センサに関連するデータを受信するステップと、
第２検出センサに関連するデータを受信するステップと、
前記第１検出センサに関連するデータが第１条件を満足し、且つ、前記第２検出センサに関連するデータが第２条件を満足する場合に、前記第１検出センサ及び前記第２検出センサを一緒にグループ化するステップと、
を有する方法。
【請求項２】
前記第１検出センサに関連するデータが該第１検出センサの地理情報位置を有し、前記第２検出センサに関連するデータが該第２検出センサの地理情報位置を有する請求項１に記載の方法。
【請求項３】
前記第１検出センサに関連するデータが該第１検出センサの測定値を有し、前記第２検出センサに関連するデータが該第２検出センサの測定値を有する請求項１に記載の方法。
【請求項４】
前記グループ化するステップが、前記第１検出センサ及び前記第２検出センサが互いに対して特定の距離内にあることに更に基づくものである請求項１に記載の方法。
【請求項５】
前記第１条件は前記第１検出センサに関連する測定値が第１の所定の閾値内であるかであり、前記第２条件は前記第２検出センサに関連する測定値が第２の所定の閾値内であるかである請求項１に記載の方法。
【請求項６】
前記第１の所定の閾値が前記第２の所定の閾値と同一である請求項５に記載の方法。
【請求項７】
前記第１検出センサに関連するデータが前記第１条件を満足する、又は前記第２検出センサに関連するデータが前記第２条件を満足することに応答して通知を送信するステップを更に有する請求項１に記載の方法。
【請求項８】
前記第１検出センサに関連するメタデータの一部をレンダリングするステップを更に有する請求項１に記載の方法。
【請求項９】
前記レンダリングするステップが、グラフィックユーザインターフェースを介してのユーザ操作に応答するものである請求項８に記載の方法。
【請求項１０】
前記条件がグラフィックユーザインターフェースを介して受信されるユーザ入力である請求項１に記載の方法。
【請求項１１】
第１及び第２検出センサに関連するデータを記憶するデータ記憶部と、
前記第１検出センサのデータが第１条件を満足し、前記第２検出センサのデータが第２条件を満足するかを判定する状態変化マネージャと、
前記第１検出センサ及び前記第２検出センサを、前記第１検出センサのデータが前記第１条件を満足し、前記第２検出センサのデータが前記第２条件を満足するとの判定に基づいて一緒にグループ化するセンサデータ表示モジュールと、
を有するシステム。
【請求項１２】
前記センサデータ表示モジュールが更に、前記第２検出センサを、該第２検出センサが前記第１検出センサに対して特定の距離内にあると判定することに基づいて識別する請求項１１に記載のシステム。
【請求項１３】
前記センサデータ表示モジュールが更に、前記第１検出センサに関連する測定値が第１の所定の閾値内であるか、及び前記第２検出センサに関連する測定値が第２の所定の閾値内であるかを判定する請求項１１に記載のシステム。
【請求項１４】
前記センサデータ表示モジュールが更に、前記第１及び第２検出センサを、前記第１検出センサ及び前記第２検出センサにより決定された危険物質が進行した経路を決定することに基づいてグループ化する請求項１１に記載のシステム。
【請求項１５】
前記センサデータ表示モジュールが更に、前記第１検出センサを前記第２検出センサから、前記第１検出センサのデータが前記第１条件を満足しないことを検出することに基づいてグループ化解除する請求項１１に記載のシステム。
【請求項１６】
前記センサデータ表示モジュールが更に、グラフィックユーザインターフェースを介して受信される前記第１検出センサ及び前記第２検出センサのユーザ選択を検出する請求項１１に記載のシステム。
【請求項１７】
第１検出センサに関連するデータを受信するステップと、
第２検出センサを、該第２検出センサのデータが特定の条件を満足することに基づいて識別するステップと、
前記第１検出センサを前記識別された前記第２検出センサと一緒にグループ化するステップと、
を有する方法。  
【請求項１８】
前記特定の条件が、前記第２検出センサの測定値が所定の値の範囲外であることである請求項１７に記載の方法。
【請求項１９】
前記特定の条件が、前記第２検出センサが前記第１検出センサに対して所定の距離内にあることである請求項１７に記載の方法。
【請求項２０】
前記特定の条件が、前記第２検出センサが前記第１検出センサと同一のタイプの検出センサであることである請求項１７に記載の方法。
【請求項２１】
前記特定の条件が、前記第２検出センサが前記第１検出センサの能力範囲領域内にあることである請求項１７に記載の方法。
【請求項２２】
前記第２検出センサを前記第１検出センサから、前記第２検出センサのデータが前記特定の条件を満足しないことを検出することに基づいてグループ化解除するステップを更に有する請求項１７に記載の方法。
【発明の詳細な説明】
【技術分野】
【０００１】
本出願は、２０１４年５月２０日に出願されたJoseph L. Gallo他による“センサベース検出システム”なる名称の米国特許出願第14/281,896号（代理人整理番号：13-012-00-US）に関係するものであり、該米国特許出願は参照により全体として本明細書に組み込まれると共に、その利益及び優先権を主張する。
【０００２】
本出願は、２０１４年５月２０日に出願されたJoseph L. Gallo他による“センサベース検出管理プラットフォーム”なる名称の米国特許出願第14/281,901号（代理人整理番号：13-013-00-US）に関係するものであり、該米国特許出願は参照により全体として本明細書に組み込まれると共に、その利益及び優先権を主張する。
【０００３】
本出願は、２０１４年６月２５日に出願されたJoseph L. Gallo他による“センサ関連データを表すための方法及びシステム”なる名称の米国特許出願第14/315,286号（代理人整理番号：13-014-00-US）に関係するものであり、該米国特許出願は参照により全体として本明細書に組み込まれるとともに、その利益及び優先権を主張する。
【０００４】
本出願は、２０１４年６月２６日に出願されたJoseph L. Gallo他による“センサ関連メッセージングのための方法及びシステム”なる名称の米国特許出願第14/315,289号（代理人整理番号：13-015-00-US）に関係するものであり、該米国特許出願は参照により全体として本明細書に組み込まれると共に、その利益及び優先権を主張する。
【０００５】
本出願は、２０１４年６月２５日に出願されたJoseph L. Gallo他による“センサベース検出システムの経路決定”なる名称の米国特許出願第14/315,317号（代理人整理番号：13-016-00-US）に関係するものであり、該米国特許出願は参照により全体として本明細書に組み込まれると共に、その利益及び優先権を主張する。
【０００６】
本出願は、２０１４年６月２５日に出願されたJoseph L. Gallo他による“センサベース検出システムのグラフィックユーザインターフェース”なる名称の米国特許出願第14/315,320号（代理人整理番号：13-017-00-US）に関係するものであり、該米国特許出願は参照により全体として本明細書に組み込まれると共に、その利益及び優先権を主張する。
【０００７】
本出願は、２０１４年６月２５日に出願されたJoseph L. Gallo他による“センサベース検出システムの経路決定のためのグラフィックユーザインターフェース”なる名称の米国特許出願第14/315,322号（代理人整理番号：13-018-00-US）に関係するものであり、該米国特許出願は参照により全体として本明細書に組み込まれると共に、その利益及び優先権を主張する。
【０００８】
本出願は、２０１４年５月２０日に出願されたJoseph L. Gallo他による“センサベース検出システムのためのイベント管理システム”なる名称の米国特許出願第14/281,904号（代理人整理番号：13-020-00-US）に関係するものであり、該米国特許出願は参照により全体として本明細書に組み込まれると共に、その利益及び優先権を主張する。
【０００９】
本出願は、２０１４年５月２１日に出願されたJoseph L. Gallo他による“ユーザ質問及び計器の測定値の関係”なる名称の米国特許出願第14/284,009号（代理人整理番号：13-027-00-US）に関係するものであり、該米国特許出願は参照により全体として本明細書に組み込まれると共に、その利益及び優先権を主張する。
【００１０】
本出願は、２０１３年５月２３日に出願されたJoseph L. Gallo他による“センサ測定値のキャプチャ、記憶及び分析のためのドメイン不可知方法及びシステム”なる名称のフィリピン国特許出願第1/2013/000136号（代理人整理番号：13-027-00-PH）に関係するものであり、該フィリピン国特許出願は参照により全体として本明細書に組み込まれると共に、その利益及び優先権を主張する。
【００１１】
本出願は、２０１４年７月２１日に本出願と同時に出願されたJoseph L. Gallo他による“センサベース検出システムのためのデータ構造”なる名称の米国特許出願第14/337,012号（代理人整理番号：13-022-00-US）に関係するものであり、該米国特許出願は参照により本明細書に組み込まれるものとする。
【背景技術】
【００１２】
技術が進歩するにつれ、計算（コンピュータ）技術は価格を低下させながら益々増加する数の分野にまで拡大した。結果として、スマートフォン、ラップトップ、ＧＰＳ等の装置は我々の社会に広く普及するようになり、これにより、益々増加する数の場所において収集されるデータの量を益々増加させている。残念ながら、収集された情報の殆どはマーケティング及びユーザに対する宣伝のために使用されている（例えば、スマートフォンのユーザが最寄りのコーヒーショップへのクーポン券を受信する等）が、我々の社会のセキュリティは無防備のままであり、ボストンマラソン爆弾犯等のテロリスト攻撃の危険に曝さている。
【先行技術文献】
【特許文献】
【００１３】
【特許文献１】特開２００９−２１９０３４号公報
【発明の概要】
【発明が解決しようとする課題】
【００１４】
従って、例えば放射線等を検出することにより我々の地域社会のセキュリティを改善するために複数のセンサからのデータの監視及び収集並びに該複数のセンサの管理を可能にする解決策に対する必要性が生じている。更に、セキュリティを向上させるためにセンサに基づく関連する情報を効率的に供給する必要性が存在する。例えば、センサの関連する情報は、センサを、条件、閾値又は経験則に関しセンサの測定値に基づいて一緒にグループ化することにより収集することができる。該センサのグループ化は、関心当事者によるセンサの効率的な監視を可能にし得る。
【課題を解決するための手段】
【００１５】
幾つかの実施態様によれば、複数のセンサに関連するデータが受信される。該センサのデータは特定の条件（例えば、閾値）と比較することができ、該比較に基づいて、これらセンサの２以上を一緒にグループ化することができる。幾つかの実施態様において、センサのグループ化は、当該センサのデータ及びメタデータをデータ構造へと組み合わせることを含むことができる。
【００１６】
幾つかの実施態様によれば、第１検出センサに関連するデータ及び第２検出センサに関連するデータが受信される。前記第１検出センサ及び前記第２検出センサは、第１検出センサに関連するデータが第１条件を満足し、且つ、第２検出センサに関連するデータが第２条件を満足する場合に一緒にグループ化される。
【００１７】
幾つかの実施態様によれば、データ記憶部は第１及び第２検出センサに関連するデータを記憶するように構成される。更に、状態変化マネージャは、前記第１検出センサのデータが第１条件を満足し、前記第２検出センサのデータが第２条件を満足するかを判定するように構成される。センサデータ表示モジュールは、前記第１検出センサ及び前記第２放射線検出センサを、前記第１及び第２検出センサのデータが前記第１及び第２条件を各々満足するとの判定に基づいて一緒にグループ化するように構成される。
【００１８】
幾つかの実施態様によれば、第１検出センサに関連するデータが受信され、第２検出センサが、該第２検出センサのデータが特定の条件を満足することに基づいて識別される。前記第１検出センサは前記識別された前記第２検出センサと一緒にグループ化される。
【００１９】
これら及び他のフィーチャ及び態様は、下記の図面、説明及び添付請求項を参照すれば、より一層理解されるであろう。
【図面の簡単な説明】
【００２０】
【図１】図１は、幾つかの実施態様による動作環境を図示する。
【図２】図２は、幾つかの実施態様によるデータ流れ図を示す。
【図３Ａ】図３Ａは、幾つかの実施態様によるセンサの自動化されたグループ化を示す。
【図３Ｂ】図３Ｂは、幾つかの実施態様によるセンサの自動化されたグループ化を示す。
【図３Ｃ】図３Ｃは、幾つかの実施態様によるセンサの自動化されたグループ化を示す。
【図４Ａ】図４Ａは、幾つかの実施態様によるセンサの自動化されたグループ化を示す。
【図４Ｂ】図４Ｂは、幾つかの実施態様によるセンサの自動化されたグループ化を示す。
【図４Ｃ】図４Ｃは、幾つかの実施態様によるセンサの自動化されたグループ化を示す。
【図５Ａ】図５Ａは、幾つかの実施態様によるセンサの自動化されたグループ化を示す。
【図５Ｂ】図５Ｂは、幾つかの実施態様によるセンサの自動化されたグループ化を示す。
【図６】図６は、幾つかの実施態様によるセンサの自動化されたグループ化を示す。
【図７】図７は、幾つかの実施態様によるセンサの手動グループ化を示す。
【図８】図８は、幾つかの実施態様によるセンサの手動グループ化を示す。
【図９】図９は、幾つかの実施態様によるセンサに関する地図のビューを示す。
【図１０】図１０は、幾つかの実施態様によるセンサに関する地図のビューを示す。
【図１１】図１１は、幾つかの実施態様によるセンサに関する地図のビューを示す。
【図１２】図１２は、幾つかの実施態様によるセンサに関する地図のビューを示す。
【図１３】図１３は、幾つかの実施態様によるセンサに関する地図のビューを示す。
【図１４】図１４は、幾つかの実施態様によるセンサに関する地図のビューを示す。
【図１５】図１５は、幾つかの実施態様によるセンサベース検出システム内でのデータ相互作用を示す。
【図１６】図１６は、幾つかの実施態様によるセンサをグループ化するためのフローチャートを示す。
【図１７】図１７は、幾つかの実施態様によるセンサをグループ化するための他のフローチャートを示す。
【図１８】図１８は、幾つかの実施態様によるセンサベース検出システム内での他のデータ相互作用を示す。
【図１９】図１９は、幾つかの実施態様によるセンサを手動でグループ化するためのフローチャートを示す。
【図２０】図２０は、幾つかの実施態様によるセンサを手動でグループ化するための他のフローチャートを示す。
【図２１】図２１は、幾つかの実施態様によるコンピュータシステムを示す。
【図２２】図２２は、幾つかの実施態様による他のコンピュータシステムのブロック図を示す。
【発明を実施するための形態】
【００２１】
以下、種々の実施態様を詳細に参照するが、これら実施態様の例は添付図面に示されている。請求項に記載された実施態様を種々の実施態様に関連して説明するが、これらの種々の実施態様は当該範囲を限定しようとするものではないことが理解される。反対に、請求項に記載された実施態様は、添付請求項の範囲内に含まれ得る代替例、変形例及び均等例をカバーしようとするものである。更に、以下の詳細な説明においては、請求項に記載された実施態様の完全な理解を得るために多数の特定の細部が記載されている。しかしながら、当業者によれば、請求項に記載された実施態様は、これらの特定の細部なしでも実施することができることは明らかであろう。他の事例においては、請求項に記載された実施態様の特徴が不明瞭にならないように、良く知られた方法、手順、部品及び回路は詳細には説明されていない。
【００２２】
以下の詳細な説明における幾つかの部分は、手順、論理ブロック、処理及びコンピュータメモリ内のデータビットに対する演算の他の記号的表現に関して提示される。これらの記載及び表現は、データ処理分野の当業者により自身の作業の実体を他の当業者に対して最も効果的に伝達するために使用される手段である。本出願において、手順、論理ブロック又は処理等は、所望の結果につながる演算若しくはステップ又は命令の首尾一貫した系列であると考えられる。上記演算又はステップは、物理量の物理的操作を利用するものである。通常、これらの量は、必ずしもということではないが、コンピュータシステム又は計算装置において記憶され、伝送され、結合され、比較され又はそれ以外で操作されることが可能な電気的又は磁気的信号の形態である。主に慣用という理由で、これら信号は、時には、トランザクション（相互作用）、ビット、値、エレメント、シンボル、文字、サンプル又はピクセル等として参照することが便利であることが分かっている。
【００２３】
しかしながら、これら及び類似の用語の全ては、適切な物理量に関連付けられるべきであって、これら量に適用される便利なラベルに過ぎないことを心に留めるべきである。下記の説明から明らかなように、そうでないと特別に言及しない限り、本開示の全体を通して“受信する”、“識別する”、“グループ化する”、“グループ化を解除する”、“レンダリングする”又は“決定する”等の用語を使用した説明は、コンピュータシステム又は同様の電子計算装置若しくはプロセッサの動作及び処理を指すことが理解される。コンピュータシステム又は同様の電子計算装置は、コンピュータシステムメモリ、レジスタ又は他の斯様な情報記憶、伝送若しくは表示装置内で物理的（電子的）量として表されたデータを操作及び変換する。
【００２４】
本システム及び方法は、種々のアーキテクチャ及び構成で実施化することができることが分かる。例えば、本システム及び方法は、分散型計算環境、クラウド計算環境、クライアントサーバ環境等の一部として実施化することができる。本明細書に記載される実施態様は、１以上のコンピュータ、計算装置又は他の装置により実行されるプログラムモジュール等の、何らかの形態のコンピュータ読取可能な記憶媒体上に存在するコンピュータ実行可能な命令という一般的前後関係で説明され得る。限定ではなく、例示として、コンピュータ読取可能な媒体はコンピュータ記憶媒体及び通信媒体を有することができる。一般的に、プログラムモジュールは、特定のタスクを実行するか又は特定の抽象データ型を実施化するルーチン、プログラム、オブジェクト、コンポーネント、データ構造等を含む。プログラムモジュールの機能は、種々の実施態様において所望に応じて組み合わせ又は分散させることができる。
【００２５】
コンピュータ記憶媒体は、コンピュータ読取可能な命令、データ構造、プログラムモジュール又は他のデータ等の情報の記憶のための何らかの方法及び技術で実施化された揮発性及び不揮発性、取外し可能な及び取外し不能な媒体を含むことができる。コンピュータ記憶媒体は、限定するものではないが、ランダムアクセスメモリ（ＲＡＭ）、読み取り専用メモリ（ＲＯＭ）、電気的に消去可能なプログラマブルＲＯＭ（EEPROM）、フラッシュメモリ若しくは他のメモリ技術、コンパクトディスクＲＯＭ（CD-ROM）、デジタル汎用ディスク（ＤＶＤ）若しくは他の光記憶、磁気カセット、磁気テープ、磁気ディスク記憶若しくは他の磁気記憶装置、又は所望の情報を記憶するために使用することができると共に該情報を取り出すためにアクセスすることが可能な如何なる他の媒体をも含むことができる。
【００２６】
通信媒体は、コンピュータ実行可能な命令、データ構造、プログラムモジュール又は他のデータを搬送波等の変調されたデータ信号で若しくは他の伝送メカニズムで具現化することができ、如何なる情報伝達媒体をも含む。“変調されたデータ信号”なる用語は、自身の特性の１以上を、当該信号に情報をエンコードするように設定又は変化させる信号を意味する。限定としてではなく例示として、通信媒体は、有線ネットワーク又は直接配線接続等の有線媒体、並びに音響、ラジオ周波数（ＲＦ）、赤外線及び他の無線媒体等の無線媒体を含むことができる。上記における如何なるものの組み合わせも、コンピュータ読取可能な記憶媒体の範囲内に含まれ得る。
【００２７】
ここに示されるものは、センサベースシステムの複数のセンサをグループ化／グループ化を解除するための実施態様である。センサは、例えば放射線レベル、音響的閾値、水分又はイベントの再生等の特定の条件を監視するように構成される。例えば、当該センサベースシステムは、温度センサ（温度、熱等）、電磁センサ（例えば、金属検出器、光センサ、粒子センサ、ガイガーカウンタ、電荷結合装置（ＣＣＤ）等）、機械式センサ（例えば、タコメータ、オドメータ等）、生物学的／化学的センサ（例えば、毒素、栄養素等）又はこれらの何れかの組み合わせ等を含む種々のセンサの何れかを含む。更に、該センサベースシステムは、これらに限定されるものではないが、音響、音、振動、自動車／輸送、化学、電気、磁気、無線電波、環境、気候、水分、湿度、流れ、流体速度、イオン化、原子、亜原子、航法、位置、角度、変位、距離、速度、加速、光学、光、画像、光子、圧力、力、密度、レベル、熱的、熱、温度、近接、存在、放射線、ガイガーカウンタ、結晶型ゲートセンサ（crystal based portal sensors）、生物学的、圧力、空気品質、水質、火事、洪水、侵入検知、動き検出、粒子計測、水位、監視カメラ等を含む種々のセンサ又はこれらの組み合わせの何れかを含むことができる。センサのグループ化は、例えば、センサの互いに対する近さ、センサの地理情報及び特定の位置、センサのタイプ、センサ検出の範囲、センサの物理的近さ、センサが位置する又は隣接する構造体の床配置等の種々の条件に基づくものとすることができる。幾つかの実施態様において、センサをグループ化するシステムは、イベント（事象）が生じた際に当該センサベースシステムにより捕捉されたイベントの状態を適切な主体又は個人にリアルタイムに又は記録されたセンサデータに基づいて警告する機能を提供することができる。
【００２８】
図１は、幾つかの実施態様による動作環境を示す。例示的な動作環境１００は、センサベース検出システム１０２、ネットワーク１０４、ネットワーク１０６、メッセージングシステム１０８及びセンサ１１０〜１１４を含んでいる。センサベース検出システム１０２及びメッセージングシステム１０８はネットワーク１０４に結合されている。センサベース検出システム１０２及びメッセージングシステム１０８はネットワーク１０４を介して通信可能に結合されている。センサベース検出システム１０２及びセンサ１１０〜１１４は、ネットワーク１０６に結合されている。センサベース検出システム１０２及びセンサ１１０〜１１４は、ネットワーク１０６を介して通信可能に結合されている。ネットワーク１０４、１０６は、２以上のネットワーク（例えば、イントラネット、インターネット、ローカルエリアネットワーク（ＬＡＮ）、広域ネットワーク（ＷＡＮ）等）を含むことができ、インターネットを含む１以上のネットワークの組み合わせであり得る。幾つかの実施態様において、ネットワーク１０４及びネットワーク１０６は単一のネットワークであり得る。
【００２９】
センサ１１０〜１１４は、当該センサに関連する測定値（読み）、例えばガンマ放射線、振動等を検出し、該情報を分析のためにセンサベース検出システム１０２に送信する。センサベース検出システム１０２は、受信された情報を使用すると共に、該情報を閾値、例えば履歴値、ユーザ選択値等と比較して潜在的に危険なイベントが発生したかを判定することができる。上記判定に応答して、センサベース検出システム１０２は該情報を適切な行動（例えば、適切な人員にＥメールする、アラームを鳴らす、警報をつぶやく（ツイートする）、警察部署に警告する、本土保安部署に警告する等）のためにメッセージングシステム１０８に送信することができる。それに従って、当該危険性に対処するために適切な行動がとられ得る。
【００３０】
センサ１１０〜１１４は、温度センサ（温度、熱等）、電磁センサ（例えば、金属検出器、光センサ、粒子センサ、ガイガーカウンタ、電荷結合装置（ＣＣＤ）等）、機械式センサ（例えば、タコメータ、オドメータ等）、相補型金属酸化膜半導体（ＣＭＯＳ）、生物学的／化学的センサ（例えば、毒素、栄養素等）等を含む種々のセンサの何れかとすることができる。更に、センサ１１０〜１１４は、これらに限定されるものではないが、音響、音、振動、自動車／輸送、化学（薬品）、電気、磁気、無線電波、環境、気候、水分、湿度、流れ、流体速度、イオン化、原子、亜原子、航法、位置、角度、変位、距離、速度、加速度、光学、光、画像、光子、圧力、力、密度、レベル、熱的、熱、温度、近接、存在、放射線、ガイガーカウンタ、結晶型ゲートセンサ（crystal based portal sensors）、生物学的、圧力、空気品質、水質、火事、洪水、侵入検知、動き検出、粒子計測、水位、監視カメラ等を含む種々のセンサの何れか又はこれらの組み合わせとすることができる。センサ１１０〜１１４はビデオカメラ（例えば、ＩＰビデオカメラ）又は特設のセンサとすることもできる。
【００３１】
センサ１１０〜１１４は、定位置に固定し（例えば、監視カメラ又はセンサ）、半固定にし（例えば、自動車のセルタワー上のセンサ又は他の準携帯物体に取り付けられたセンサ）、又は移動型（例えば、モバイル装置、スマートフォン等の一部）とすることができる。センサ１１０〜１１４は、データをセンサベース検出システム１０２に斯かるセンサ１１０〜１１４のタイプに従って供給することができる。例えば、センサ１１０〜１１４は、ガンマ放射線を検出するように構成されたＣＭＯＳセンサであり得る。このように、ガンマ放射線はピクセルを照射することができ、該放射線は電気信号に変換されて、センサベース検出システム１０２に送信される。
【００３２】
センサベース検出システム１０２はセンサ１１０〜１１４からデータを受信し、これらセンサを管理するように構成される。センサベース検出システム１０２は、ユーザが１以上の場所におけるセンサの測定値及びレベルを監視し及び追跡することを補助するよう構成される。センサベース検出システム１０２は、ある場所における新たなセンサの容易な配備（管理者による）を可能にすると共に、これらセンサの、ユーザの優先度（好み）、経験則に基づいたイベントの検出ための監視を可能にする種々の構成要素を有している。上記イベントは、メッセージングシステム１０８により使用されて、センサに基づく警報（例えば、１つのセンサに関する閾値を超えたセンサ測定値に基づく、特定の近傍内の２つのセンサの測定値が閾値を超えることに基づく、等）を発生し、適切な人員が行動をとるようにする。センサベース検出システム１０２は、地理的に異なる場所に配置され得る如何なる数のセンサからもデータを受信し、これらセンサを管理することができる。幾つかの実施態様において、センサ１１０〜１１４及びセンサベース検出システム１０２の構成要素は、複数のシステム（例えば、更に仮想化された）及び大きな地理的領域にわたって分散させることができる。
【００３３】
センサベース検出システム１０２は、センサ又はセンサのグループに関して、位置情報（例えば、ボードルームＢ、フロア２、ターミナルＡ等）及び全地球測位システム（ＧＰＳ）座標（例えば、緯度、経度等）を追跡及び記憶することができる。センサベース検出システム１０２は、定められたイベントが発生したか（例えば、検出された放射線レベルが特定の閾値を超えるか）を判定するために、センサを監視し、センサ値を追跡するように構成することができ、もし発生したなら、該センサベース検出システム１０２は、危険な又は禁制の物質が当該センサの周辺又は範囲内で移動したルート又は経路を決定することができる。例えば、固定されたセンサに対する放射性物質の進行経路を決定しグラフィックユーザインターフェースを介して表示することができる。移動するセンサ（例えば、スマートフォン等）に対する、又は固定された及び移動するセンサの混合に対する放射性物質の進行経路も同様に決定しグラフィックユーザインターフェースを介して表示することができることが分かる。分析値及び／又は感知された値は、リアルタイムに表示することができるか、又は後の取り出しのために記憶することができることが理解される。
【００３４】
センサベース検出システム１０２は、センサ１１０〜１１４を監視及び管理するためにグラフィックユーザインターフェース（ＧＵＩ）を表示することができる。該ＧＵＩは、センサの測定値、センサの状態及びマップ上のセンサの位置を表示するように構成することができる。センサベース検出システム１０２は、過去のセンサの測定値及びセンサにより検出された物質又は状況の移動の見直しを、記憶されたセンサ値の停止、再生、一時停止、早送り及び巻き戻し機能に基づいて可能にすることができる。また、センサベース検出システム１０２は、閾値（例えば、所定の値に基づく又は周囲センサの測定値に基づく）を越えるセンサの測定値を有したセンサに対応する画像又はビデオ映像（例えば、動画又は静止画）の見直しも可能にすることができる。例えば、センサをＧＵＩにおいて選択することができると共に、センサの検出範囲内の領域に関連するビデオ映像を表示することができ、これにより、ユーザが危険物質を運んでいる個人又は人を見ることを可能にする。一実施態様によれば、上記映像はユーザの選択に応答して表示され、又は該映像は特定のイベント（例えば、特定のセンサ又はセンサグループに関連するセンサの測定値が特定の閾値より高い）に応答して自動的に表示され得る。
【００３５】
幾つかの実施態様において、１以上のセンサのセンサ測定値は、見易いようにグラフ又はチャート上に表示することができる。センサを描く視覚的なマップ型表示を、該センサの測定値及び特定のイベントに従ったカラーコード化、形状、アイコン、点滅率等を含むセンサ表現及び／又は指示子と共に表示することができる。例えば、灰色は校正センサに関連付けることができ、緑色は当該センサからの正常な測定値に関連付けることができ、黄色は上昇したセンサの測定値に関連付けることができ、橙色は潜在的に危険なセンサの測定値に関連付けることができ、赤は危険な警告のセンサの測定値に関連付けることができる。
【００３６】
センサベース検出システム１０２は、警報又は特定の閾値（例えば、所定の、動的な又は周囲に基づく）より高い若しくは経験則に基づくセンサの測定値を決定し、斯かる警報をＧＵＩに表示することができる。センサベース検出システム１０２は、ユーザ（例えば、操作者）が、複数のセンサからの複数の警報に関連するイベントを生成するために複数のセンサを一緒にグループ化することを可能にすることができる。例えば、互いに１２フィート以内で且つ同一の物理的空間内にある３個のセンサ又はそれ以上が、過去の値より少なくとも４０％以上高いセンサ測定値を有する場合、コードレッドのイベントが生成され得る。幾つかの実施態様において、センサベース検出システム１０２は、センサの地理的近さに基づいて斯かるセンサを自動的に一緒にグループ化することができる。例えば、ＬＡＸ（ロサンゼルス）空港のターミナルＡ内のゲート１、２及び３のセンサは互いに対する近い位置（例えば、同じ物理的空間内の物理的近さ）により一緒にグループ化することができる一方、別のターミナルにおけるセンサはバラバラな位置によりグループ化することはできない。しかしながら、特定の状況では、ターミナル、ゲート等の一層細かなレベルにおいてではなく、当該空港におけるイベントを監視するために同一の空港内のセンサを一緒にグループ化することもできる。
【００３７】
センサベース検出システム１０２は、センサ１１０〜１１４から収集された情報から生成されるイベントの決定に基づいてメッセージングシステム１０８に情報を送信することができる。メッセージングシステム１０８は１以上のメッセージングシステム又はプラットフォームを含むことができ、これらはデータベース（例えば、メッセージング、ＳＱＬ又は他のデータベース）、ショートメッセージサービス（ＳＭＳ）、マルチメディアメッセージングサービス（ＭＭＳ）、インスタントメッセージングサービス、カリフォルニア州サンフランシスコのツイッタ社から利用可能なツイッタ、拡張可能マークアップ言語（ＸＭＬ）に基づくメッセージングサービス（例えば、フュージョンセンタとの通信のための）、ジャバスクリプトオブジェクト表記（ＪＳＯＮ）メッセージングサービス等を含むことができる。例えば、国内情報交換モデル（ＮＩＥＭ）準拠のメッセージングを、化学的、生物学的、放射性物質及び核防衛（ＣＢＲＮ）疑惑行動レポート（ＳＡＲ）を政府団体（例えば、地方、州又は連邦政府）に報告するために使用することができる。
【００３８】
図２は、幾つかの実施態様によるデータ流れ図を示す。図２００は、センサベース検出システム（例えば、センサベース検出システム１０２）に関連するデータ（例えば、センサ測定値、生のセンサデータ、分析されたセンサデータ等）の流れを描いている。図２００は、センサ２１０〜２１４、センサ分析処理２０２、センサ処理マネージャ２０４、データ記憶部２０６、状態変化マネージャ２０８及びセンサデータ表示モジュール２１６を含んでいる。幾つかの実施態様において、センサ分析処理２０２、センサ処理マネージャ２０４、状態変化マネージャ２０８及びセンサデータ表示モジュール２１６は、１以上の計算システム（例えば、仮想又は物理的計算システム）上で動作することができる。データ記憶部２０６は、データ保管部の一部とするか、又は該データ保管部に記憶することができる。センサ２１０〜２１４は、センサ１１０〜１１４と同様であり、これらセンサと実質的に同様に動作する。これらセンサは、自身の地理的位置に関連され得ることが理解される。センサ２１０〜２１４は、例えば、音響、音、振動、自動車／輸送、化学（薬品）、電気、磁気、無線電波、環境、気候、水分、湿度、流れ、流体速度、イオン化、原子、亜原子、航法、位置、角度、変位、距離、速度、加速度、光学、光、画像、光子、圧力、力、密度、レベル、熱的、熱、温度、近接、存在、放射線、ガイガーカウンタ、結晶型ゲートセンサ、生物学的、圧力、空気品質、水質、火事、洪水、侵入検知、動き検出、粒子計測、水位等の情報を収集するために使用することができる。センサ２１０〜２１４は、データ（カメラのストリームデータ、ビデオストリームデータ等のセンサ測定値）をセンサ分析処理２０２に供給することができる。
【００３９】
センサ処理マネージャ２０４はセンサ分析処理２０２から分析されたセンサデータを入力する。この場合、センサ処理マネージャ２０４は、上記分析されたセンサデータを記憶のためにデータ記憶部２０６に送出する。センサ処理マネージャ２０４は、更に、データ記憶部２０６に記憶するために、センサ２１０〜２１４に関連するメタデータを、関連する上記の分析されたセンサデータと共に送出する。幾つかの実施態様において、センサ処理マネージャ２０４は、上記の分析されたセンサデータ及びメタデータをセンサデータ表示モジュール２１６に送出することができる。センサ処理マネージャ２０４からセンサデータ表示モジュール２１６に送信される情報はメッセージ型フォーマットであり得ることが理解される。
【００４０】
センサ処理マネージャ２０４は、センサ分析処理２０２を始動又は起動するように構成される。センサ処理マネージャ２０４は、センサ分析処理２０２の各インスタンス又は処理を構成パラメータ（例えば、プリセットされる、ユーザにより構成される、等）に基づいて構成するように動作する。幾つかの実施態様において、センサ分析処理２０２は、センサ処理マネージャ２０４によりセンサ測定値を時間間隔（例えば、３０秒、１分、１時間、１日、１週間、１年）にわたって編成（整理）するように構成することができる。特定の時間間隔を事前に設定することができるか、又は該時間間隔をユーザ設定可能なものとすることができることが理解される。更に、該特定の時間間隔は例えば実行時の間に動的に又は静的に変更することができることも理解される。幾つかの実施態様において、センサ分析処理２０２の処理は、各時間間隔に対して実行することができる。センサ処理マネージャ２０４は、センサ２１０〜２１４に関連するメタデータ（例えば、地理空間座標、ネットワーク設定、ユーザ入力情報等）にアクセスし又は該メタデータを入力するように構成することもできる。
【００４１】
幾つかの実施態様において、センサ分析処理２０２は、次いで、分析されたセンサデータをデータ記憶部２０６に送ることができる。センサ分析処理２０２は、更に、データ記憶部２０６に記憶するために、センサ２１０〜２１４に関連するメタデータを、関連する分析されたセンサデータと共に送出することができる。
【００４２】
状態変化マネージャ２０８は、データ記憶部２０６から分析されたセンサデータ及び関連するメタデータを入力し又はこれらデータにアクセスすることができる。状態変化マネージャ２０８は、センサ測定値を、該センサの可能性のある状態の変化に関して分析するよう構成することができる。一実施態様において、状態変化マネージャ２０８は、分析されたセンサデータ及び／又は関連するメタデータを、該情報をデータ記憶部２０６から取り込む必要性無しに、センサ分析処理２０２から直接入力することもできる（図示されず）ことが理解される。
【００４３】
状態変化マネージャ２０８は、センサの状態が変化したかを、現在のセンサデータと前のセンサデータとに基づいて判定することができる。閾値を超過した、範囲内又は外等のセンサ測定値に基づくセンサ状態の変化は、センサデータ表示モジュール２１６に送出することができる（例えば、センサ毎に、センサのグループ毎に、等）。例えば、センサ２１２の状態変化は、該センサ２１２が以前の正常な測定値から上昇した測定値（例えば、特定の閾値より高い、上昇した測定値内、危険な測定値内、等）へ変化することに基づいて決定することができる。他の例において、センサ２１２の状態は、該センサ２１２が前のセンサ測定値と同じ範囲内の上昇した測定値を有することに基づいて変化していないと判定することができる。
【００４４】
幾つかの実施態様において、センサ処理マネージャ２０４は種々のセンサの状態を構成することができ、関連する警告は、そこで構成することができる。例えば、センサ処理マネージャ２０４は閾値、範囲等を設定するために使用することができ、これらは警告が発生されるべきかを判定するためにセンサ測定値に対して比較される。例えば、センサ２１０〜２１４は、５つの可能性のある状態、即ち、校正の、公称の、上昇した、可能性がある（起こり得る）、及び警告的、を有することができる。センサ処理マネージャ２０４の構成処理は、ユーザ入力に応答するものであり得ることが理解される。例えば、ユーザは、閾値、範囲等、及び警告を発するために満たされるべき条件を設定することができる。幾つかの実施態様において、各状態には色（カラー）を関連付けることができる。例えば、暗いグレイは校正状態に関連付けられ、緑は公称状態に関連付けられ、黄色は上昇した（高められた）状態に関連付けられ、橙色は可能性のある（潜在的）状態に関連付けられ、赤は警告状態に関連付けられるようにすることができる。明るいグレイは、オフライン又は機能していないセンサを表すために使用することができる。如何なる数の状態も存在することができ、５つの可能性のある状態を説明することは、解説目的であって、当該実施態様の範囲を限定しようと意図するものではない。
【００４５】
幾つかの実施態様において、状態変化マネージャ２０８は、センサ２１０〜２１４の状態の新たな状態への変化が存在した場合に警報又は警報信号を発生するように構成される。例えば、警報は、公称状態から上昇した状態又は可能性のある状態へ進んだセンサに関して発生され得る。幾つかの実施態様において、状態変化マネージャ２０８は活性状態テーブルを含む。該活性状態テーブルは現在の状態／前の状態を記憶するために使用することができ、これにより、該活性状態テーブルはセンサ２１０〜２１４の状態変化を決定するために維持される。このように、状態変化マネージャ２０８はセンサ状態変化に基づくリアルタイムな感知情報を提供することができる。
【００４６】
幾つかの実施態様において、状態変化マネージャ２０８は、センサ測定値が環境源から正常なセンサ測定値を越えたかを決定し、又は当該センサの状態の変化が存在したかを決定し、警報を発生することができる。例えば、ガンマ放射線の場合、状態変化マネージャ２０８は、ガンマ放射線センサの測定値が自然源（例えば、太陽、他の天体源等）若しくは他の自然環境源からのものであるかを公称センサ状態から決定することができ、又は該測定値がセンサの範囲内で運ばれている放射性物質からのものであるかを上昇した、可能性のある若しくは警告的センサ状態に基づいて決定することができる。一実施態様においては、ガンマ放射線測定値が安全範囲内であるかが、公称のセンサ状態に基づいて、又は安全範囲外であるかが、上昇した、可能性のある若しくは警告するセンサ状態に基づいて決定される。
【００４７】
幾つかの実施態様において、個々の警報は外部システム（例えば、メッセージングシステム１０８）へ送信することができる。例えば、１分、２分又は１０分のタイムスパン内に特定の建物内で発生する１以上の警報は、メッセージングシステムへ送信され得る。当該警報が送信されるタイムスパンは予め設定されるか又はシステム管理者により選択することができることが分かる。一実施態様において、当該警報が送信されるタイムスパンは動的に（例えば、リアルタイムに）又は静的に設定され得る。
【００４８】
センサデータ表示モジュール２１６は、センサ処理マネージャ２０４又はデータ記憶部２０６から分析されたセンサデータ及び関連するメタデータを入力し、又は斯かるデータにアクセスすることができる。センサデータ表示モジュール２１６は、更に、状態変化マネージャ２０８により決定されたセンサ状態変化に基づく警報（例えば、センサ毎の、位置毎の、等）を入力することができる。
【００４９】
センサデータ表示モジュール２１６は、センサ２１０〜２１４、センサ状態、警報、センサ測定値等を示すグラフィックユーザインターフェース（ＧＵＩ）をレンダリングするように動作することができる。センサデータ表示モジュール２１６は、センサ測定値が特定の条件を満たす場合に発生する１以上の警報を、例えばセンサ測定値が閾値を超える、特定の範囲内に入る、特定の閾値より低い、等の場合に地図上に視覚的に表示することができる。このように、センサデータ表示モジュール２１６は、特定の条件がセンサにより満たされた（例えば、可能性のある生物学的有害物質が検出された、高いガンマ放射線が検出された、等）ことを、ユーザ（例えば、操作者、管理者等）に視覚的、可聴的、等により通知することができる。ユーザは、センサ分析処理２０２が発生した種々のデータ（例えば、ｍＳｖ値、生物学的有害物質測定レベル値、等）を調査し、当該警報を起動した元のセンサ分析処理２０２のデータ（例えば、生のストリームデータ、変換されたストリームデータ、前処理されたセンサデータ等）を含む適切なイベント事件ファイルを生成する機会を有することができる。センサデータ表示モジュール２１６は、（例えば、操作者、管理者等により）監視される領域を移動する又は該領域内で発生する如何なる物質（例えば、放射性物質、生物学的有害物質等）又は他の状況にも気付くために使用することができる。
【００５０】
幾つかの実施態様において、センサデータ表示モジュール２１６は、センサ、警報及びイベントを地理的に示すよう動作する位置機能を含む。該位置機能は、種々のセンサをＧＵＩ内の地図上の対応する位置にプロットするために使用することができる。ＧＵＩは詳細な床配置を伴う視覚的地図を種々のズームレベルで可能にする。センサデータ表示モジュール２１６は、センサデータ、警報及びイベントを配信（例えば、他のユーザ、安全当局者等への）のためにメッセージングシステム（例えば、メッセージングシステム１０８）に送信することができる。
【００５１】
以下に説明するように、センサデータ表示モジュール２１６は、複数のセンサを一緒にグループ化するか、又は以前に作成されたグループ化（集団）から１以上のセンサをグループ化解除（ungroup）することができる。ここで、グループ化とは、複数のセンサ２１０〜２１４に関連するセンサ捕捉データ、メタデータ等の集合化を示す。更に、グループ化解除とは、センサ２１０〜２１４の先に形成された集団から１以上のセンサ２１０〜２１４を切り離すことを示す。一例として、センサデータ表示モジュール２１６は、センサ２１０〜２１４の集団からセンサ２１２を、該センサ２１２に対応するデータを該集団のデータ構造から削除することによりグループ化解除することができる。一例として、センサデータ表示モジュール２１６はセンサ（例えば、２１０〜２１４）の集団を、当該集団のセンサ２１０〜２１４からの測定値を集合させるデータ構造、センサからの測定値は集合させるが最も高い測定値を表示させるデータ構造、センサからの測定値は集合させるが該センサ集団の平均測定値を表示させるデータ構造、センサからの測定値を集合させると共に地理的位置情報等の関連するメタデータを表示させるデータ構造、等を作成することにより形成することができる。他の例として、センサデータ表示モジュール２１６はセンサ（例えば、２１０〜２１４）の集団を、例えば同様のセンサ、同様の状態を持つセンサ、同様のメタデータを持つセンサ、同様の測定値を持つセンサ等の同様の特徴を持つ集団のセンサ２１０〜２１４からの測定値を集合させるデータ構造を作成することにより形成することができる。
【００５２】
作成されたデータ構造は、データ記憶部２０６に記憶することができる。幾つかの実施態様において、センサデータ表示モジュール２１６はセンサ２１０〜２１４を、MapReducフレームワークを用いてデータ構造にグループ化することができる。データ構造はセンサ２１０〜２１４の集団を、該センサに関連する如何なるパラメータ（例えば、位置、センサデータ、タイプ等）に関しても記述することができる。一例として、集団のデータ構造はローカルに又はデータ記憶部２０６に関係データベースとして記憶することができる。データ構造は階層構造のエントリ（項目）とすることができ、各エントリは１以上の副エントリを有することができる。例えば、データ構造におけるエントリは個々のセンサに対応することができ、副エントリは該個々のセンサのメタデータであり得る。他の例として、副エントリは個々のセンサの感知されたデータであり得る。データ構造内のエントリは、属性／値の対を有するＪＳＯＮ又はＸＭＬ文書として実施化することができる。センサの場合、例示的な属性は“位置”とすることができ、対応する値は“ターミナルＡ”とすることができる。
【００５３】
データ構造は、一定のタイムスケール（例えば、期間）にわたって捕捉されたセンサ２１０〜２１４のセンサ測定値を含むことができる。幾つかの実施態様において、センサ測定値は、当該集団のセンサ２１０〜２１４のセンサ測定値に基づいて決定される時点から開始して当該データ構造に追加することができる。一例として、データ構造に含まれるセンサ測定値は、センサ２１０〜２１４のうちの１以上が上昇した測定値を有する時点で開始することができる。他の例として、データ構造に含まれるセンサ測定値は、センサ２１０〜２１４のうちの１以上が閾値内の測定値を有する時点で開始することができる。他の実施態様において、グループ化されたセンサ２１０〜２１４のデータ構造は終わりのないものとすることができ、センサ２１０〜２１４からの測定値を、操作者がデータ収集を手動で閉じる又は経験則に基づいて自動的に閉じるまで、継続的に追加することができる。例えば、センサの集団のセンサ測定値は、該集団の全てのセンサ２１０〜２１４が、最早、高い測定値を有さない、センサの測定値が特定の範囲内である、等の場合に中止することができる。
【００５４】
データ構造は、如何なる時点においてもエントリを追加又は削除することができる。一例として、センサデータ表示モジュール２１６は、例えば操作者により入力されて、該センサデータ表示モジュール２１６を構成するために使用することができる１以上の条件、パラメータ又は経験則を、グラフィックユーザインターフェースを介して入力し又はアクセスすることができる。センサデータ表示モジュール２１６によりアクセスされた該ユーザ入力情報は、センサ２１０〜２１４をグループ化し又はグループ化解除するために使用することができる。上記条件、パラメータ又は経験則は、センサデータ表示モジュール２１６のグラフィックユーザインターフェース、センサ処理マネージャ２０４、状態変化マネージャ２０４等を介して入力することができる。以下に説明するように、センサデータ表示モジュール２１６は、センサ２１０〜２１４のグループ化又はグループ化解除をセンサデータ、センサメタデータ又は上記条件、パラメータ、経験則等の評価（例えば、比較、アルゴリズム等）に基づいて決定することができる。例えば、既存のセンサ集団には以前に含まれておらず、且つ、特定の条件を満たすセンサは、該センサに対応するエントリをデータ構造に追加することにより該既存のセンサ集団に追加することができる。更に、既存のセンサ集団における特定の条件を、最早、満たさないセンサは、該センサに対応するエントリを当該データ構造から削除することにより、該既存のセンサ集団から削除することができる。
【００５５】
更に、センサ集団に関連するデータは、メッセージを発生し、該センサ集団のセンサ２１０〜２１４からの測定値を監視し、該センサ集団のセンサ２１０〜２１４の状態又は位置を視覚化する、等のために使用することができる。幾つかの実施態様において、センサ２１０〜２１４のグループ化処理は、センサ２１０〜２１４の感知されたデータ（測定値）をデータ構造にグループ化することができる。この開示はデータ構造を用いたセンサのグループ化及びグループ化解除を説明しているが、この開示は何らかの好適なデータ構造を用いたセンサの如何なる好適なグループ化及びグループ化解除も想定している。
【００５６】
センサ２１０〜２１４のグループ化を決定することに基づいて、センサデータ表示モジュール２１６から指示情報（indicator）を出力することができる。幾つかの実施態様において、該指示情報は、視覚的に、可聴的に又は他のシステム（例えば、メッセージングシステム１０８）に対する信号を介して出力することができる。以下に説明するように、センサのグループは、手動で（例えば、ＧＵＩ、コマンドラインインターフェース等を介して）、又は経験則に基づいて自動的に（例えば、センサベース検出システム１０２により決定される自動グループ化に基づいて）選択することができる。幾つかの実施態様において、上記指示情報（例えば、警報、イベント、メッセージ等）は、メッセージングシステム（例えば、メッセージングシステム１０８）に出力することができる。例えば、該指示情報は人（例えば、操作者、管理者、安全当局者）又は人のグループ（例えば、安全部署、警察署、消防署、本土保安部署等）に通知するために出力することができる。
【００５７】
図３Ａ〜３Ｃは、幾つかの実施態様によるセンサの自動グループ化を示す。前述したように、センサデータ表示モジュール２１６はセンサのグループ化を決定することができる。幾つかの実施態様において、グループ化は、センサのデータ又は測定値、センサのメタデータ、１以上の条件、パラメータ、経験則等に基づくものとすることができる。例えば、センサは、これらセンサの測定値（これらの全ては上昇され得る）に基づいてグループ化され得る。一方、センサの他の集団は、これらセンサの測定値が高度に高められたことに基づいて一緒にグループ化され得る。他の例として、実質的に同様の値を持つメタデータを伴うセンサが一緒にグループ化され得る。他方、或る値の範囲内のメタデータを伴うセンサが一緒にグループ化され得る。センサのメタデータは、これらに限られるものではないが、建物名、フロアのレベル、部屋番号、所定の範囲（例えば、センサ間の距離、或る場所へのセンサの近さ、等）内の地理空間的（例えば、地理情報システム（ＧＩＳ））座標、センサの供給元、センサのタイプ、センサの特性、センサの構成等を含むことができる。
【００５８】
幾つかの実施態様において、センサデータ表示モジュール２１６はセンサを、当該センサが例えば構造物、町、郡、地域等の地理的場所内に位置することを示すメタデータに基づいて一緒にグループ化することができる。図３Ａに図示されるように、センサ３１０Ａ〜Ｃは、これらセンサ３１０Ａ〜Ｃの空港のターミナルビル３３０内のゲート１、２及び３における地理的近さに基づいて自動的に一緒にグループ化され得る。更に、別のターミナル３３２に位置するセンサ３１２Ａ〜Ｃは、これらセンサの離れた位置故に、センサ３１０Ａ〜Ｃとはグループ化されないであろう。他の例として、センサデータ表示モジュール２１６は、センサ３１２Ａ〜Ｂがターミナルビル３３２の同じフロア上に位置すると判定し、センサ３１２Ａ〜Ｂを、これらセンサの位置メタデータに基づいて一緒にグループ化することができるが、センサ３１２Ｃは例えば異なるフロア上の位置故に含めることができない。他の例として、センサデータ表示モジュール２１６は、例えばセンサ３１０Ａ〜Ｃを、これらセンサ３１０Ａ〜Ｃがターミナル３３０の物理的構造物内に位置すると判定することに基づいてグループ化することができるが、センサ３１０Ｄは該センサ３１０Ｄがターミナル３３０の物理的構造物外に位置すると判定することに基づいて選択しない。幾つかの実施態様において、特定の状況においては、同じ空港内のセンサを、イベントをターミナルビル、ゲート等の一層細かなレベルにおいてではなく、空港全体において監視するために一緒にグループ化することができる。如何なるレベルの細かさも達成することができ、ここで説明される細かさは解説目的のためだけのものであり、当該実施態様を限定するものと見なされるべきではないことが理解される。
【００５９】
上述したように、位置等を含むセンサ３１０Ａ〜Ｃに関連するメタデータは、センサデータ表示モジュール２１６によりセンサのグループ化を決定するために使用することができる。図３Ｂに示されるように、センサデータ表示モジュール２１６は建物３３２の別のフロア上のセンサ３１２Ａ〜Ｂを一緒にグループ化することができる。他の例として、センサ３１２Ａ〜Ｂは、以前に侵入に対して脆弱であると判定された建物３３２の領域を戦略的に監視するために一緒にグループ化することもできる。更に他の例として、センサ３１４Ａ及び３１４Ｂを、センサ３１４Ａが建物３３４への地上階入口の静止画又はビデオ画像を記録するように構成された画像センサであり、センサ３１４Ｂが該建物３３４の最上階の階段吹抜をカバーする画像センサであり得る故に、一緒にグループ化することができる。言い換えると、センサは、センサ間の相互関係に基づいて一緒にグループ化することができる。例えば、建物３３４及び３３６内のセンサ３１４Ａ〜Ｃを、これらセンサが同じ組織（例えば、民間セキュリティ会社）に属することに基づいて一緒にグループ化することができる。
【００６０】
幾つかの実施態様において、センサは状態変化マネージャ２０８からのデータに基づいて一緒に結合することができる。状態変化マネージャ２０８からのデータの例は、１以上のセンサから受信された上昇した測定値の警報を含み得る。幾つかの実施態様において、状態変化マネージャ２０８は、センサの状態が変化したかを現在のセンサデータ又は前のセンサデータに基づいて判定することができる。一例として、センサ３１０Ａ〜Ｄは５つの可能性のある状態、即ち、校正、公称、上昇した、可能性のある（起こり得る）又は警告を有し得る。センサ３１０Ａ〜Ｄの状態の変化は、センサ３１０Ａ〜Ｄの測定値が閾値より高い、範囲内又は外である、等に基づいて決定することができる。図３Ｃに示されるように、状態変化マネージャ２０８はセンサ３１０Ａ〜Ｄの状態の変化（例えば、公称値から上昇した値への）を検出するように構成することができ、センサデータ表示モジュール２１６はセンサ３１０Ａ〜Ｄを一緒にグループ化することができる。幾つかの実施態様において、状態変化マネージャ２０８は、センサ３１０Ａ〜Ｄの状態を監視するために維持される状態テーブルを含むことができる。このように、状態変化マネージャ２０８は、センサの状態変化に基づいてリアルタイムな感知情報を提供することができる。幾つかの実施態様において、センサデータ表示モジュール２１６はセンサ３１０Ａ〜Ｄをセンサが状態の変化を持つことに基づいてグループ化することができ、グループ化されたセンサ３１０Ａ〜Ｄのデータをデータ記憶部２０６からセンサデータ表示モジュール２１６に送ることができる（例えば、センサ毎に）。グループ化は、センサが特定の条件を維持する（例えば、上昇したセンサが、該上昇した状態に留まる）ことに基づくものとすることもできることが分かる。例えば、或る期間（例えば、２分）にわたって上昇された測定値を持つ熱センサは、火事の可能性を示す可能性があり、これらセンサは一緒にグループ化することができる。
【００６１】
センサのグループ化は、発生しているイベントの一層正確且つ明確な状況（光景）を提供するために使用することができることが分かる。例えば、或るセンサのセンサ状態の変化は、単一のセンサ測定値の生じた偶然又は一時的上昇であり得る。しかしながら、センサが複数の上昇した測定値を捕捉した場合又は複数のセンサが高い測定値を有する場合、イベントが生じている高い確率が存在する。複数のセンサのセンサ状態の変化は更なる注意の根拠となり得るイベントが生じたことを示すものであり得、センサデータ表示モジュール２１６は、上昇した測定値に応答してセンサ３１０Ａ〜Ｄをグループ化することができる。一例として、公称値から上昇された値への状態の変化を伴う放射線センサ３１０Ａ〜Ｄからの上昇された測定値は、放射線物質が存在することを示し得る。幾つかの実施態様において、センサデータ表示モジュール２１６は、センサ３１０Ａ〜Ｄを自動的に識別すると共に一緒にグループ化することができ、センサ３１０Ａ〜Ｄからのメタデータ及び感知されたデータがデータ記憶部２０６のデータ構造に記憶されるようにする。他の例として、同一の領域又は施設３３４内の温度センサ３１４Ａ〜Ｂからの測定値を、公称値から上昇した値への状態の変化に基づいて一緒にグループ化することもできる。該センサ３１４Ａ〜Ｂの状態の変化は、建物３３４内に火事又は発火の原因が存在することを示し得る。
【００６２】
図４Ａ〜Ｃは、幾つかの実施態様による他の自動的グループ化を示す。幾つかの実施態様において、センサは、センサのデータ又は測定値が或る値の範囲内にあることに基づいてグループ化することができる。例えば、センサの集合は、互いから適切な距離内にあると共に各センサが上昇したセンサ測定値を有するセンサ４１０Ａ〜Ｄから形成することができる。センサのグループ化を決定するために使用される経験則は、更に、センサの間の距離及び上昇した測定値の時間を含むことができる。例えば、センサ４１０Ａ〜４１０Ｄは、隣接する放射線センサ（例えば、４１０Ｂに対する４１０Ａ、４１０Ｃに対する４１０Ｂ、４１０Ｄに対する４１０Ｃ）は放射性物質が全てのセンサを同時に誘起させ得ないほど十分に互いから離れているが、これらセンサの各々が、ここにグループ化される他のセンサから特定の時間間隔内に（例えば、３分の期間内に）誘起された場合に、一緒にグループ化され得る。このことは、放射性物質がセンサ４１０Ａの近傍から、４１０Ｂへ、更に４１０Ｃへ、最終的に４１０Ｄへ移送されたことの暗示であり得る。かくして、センサ４１０Ａ〜Ｄは、上昇した測定値が特定の順序で（例えば、４１０Ａから４１０Ｄへ）、上昇した測定値の間の或る期間（例えば、１０分）内で生じたことに基づいて一緒にグループ化することができる。
【００６３】
幾つかの実施態様において、センサのグループ化は、移動する放射線源の推測される経路に対応し得る。経験則は、図４Ａに示されるように、センサ（例えば、４１０Ｃ〜Ｄ）の間の推測される移動時間に基づくものであり得る。例えば、センサデータ表示モジュール２１６は、センサ４１０Ａ〜Ｃにより捕捉された上昇した測定値に基づいて関心経路を推測し、センサ４１０Ａ〜Ｃを含む初期集団を作成することができる。次いで、センサ４１０Ｃ〜Ｄの間の距離及びセンサ４１０Ａ〜Ｃの上昇した測定値から推測される経路に基づいてセンサ４１０Ｄを上記集団に追加することができる。例えば、センサデータ表示モジュール２１６は、上記の推測された経路の概略方向及びセンサ４１０Ｃから或る距離内に一番最近に上昇した測定値を伴って位置することに基づいてセンサ４１０Ｄを識別し、当該センサ集団に追加することができる。
【００６４】
前述したように、センサはセンサのメタデータに基づいてグループ化することができる。幾つかの実施態様において、センサデータ表示モジュール２１６は、バラバラな位置におけるセンサ４１２Ａ〜Ｄを、図４Ｂに示されるように、センサ４１２Ａ〜Ｄのタイプに基づいてグループ化することができる。一事例において、建物４３０〜４３６におけるセンサ４１２Ａ〜Ｄは一緒にグループ化される放射線検出器であり得る一方、例えば他のセンサ４１４Ａ〜Ｄは当該集団から除外される他のタイプのセンサであり得る。幾つかの実施態様において、放射線センサ４１２は同じ組織（例えば、核規制当局）により監視され得る。
【００６５】
幾つかの実施態様において、センサベース検出システム１０２はグループ化されたセンサの測定値の監視を容易化するためにイベントを形成することができる。センサ処理マネージャ２０４は、図４Ｃに示されるように、集団が形成されるべきかを決定するためにセンサ測定値に対して比較される閾値、範囲等を設定することができる。一例として、コードレッド（緊急事態）イベントは、センサ４２０Ａ〜Ｂが過去の値より少なくとも４０％高いセンサ測定値を有する場合に形成することができる。地理的位置（例えば、４３２）が第三者団体に関連し得る場合、該イベントのデータはイベント監視のために該第三者団体に送信することができる。例えば、地理的位置４３２は民間セキュリティ会社により管理されている倉庫であり得、地理的位置４３２は当該場所における種々の活動を監視するセンサ４２０Ａ〜Ｂを有し得る。センサベース検出システム１０２は、上述した様に上昇した測定値を有する地理的位置４３２のグループ化されたセンサ４２０Ａ〜Ｂのうちの１以上に基づいてイベントを形成することができる。この場合、上記民間セキュリティ会社は、状況を評価するために、グループ化されたセンサ４２０Ａ〜Ｂの測定値を監視することができる。
【００６６】
他の例として、地理的位置４３６は空港当局により管理される空港ターミナルであり得る。空港当局は、空港ターミナル４３６における活動を監視するために動きセンサ４２２Ａ〜Ｃを一緒にグループ化することができる。幾つかの実施態様において、センサベース検出システム１０２は、地理的位置４３６のグループ化された動きセンサ４２２Ａ〜Ｃが非営業時間の間に動きを検出することに基づいてイベントを形成することができ、該イベントは続いての監視のために空港当局に送信される。
【００６７】
図５Ａ〜Ｂは、幾つかの実施態様によるセンサの他の自動的グループ化を示す。前述したように、センサデータ表示モジュール２１６はセンサをセンサ５１０Ａ〜Ｄのメタデータに基づいてグループ化することができる。幾つかの実施態様において、センサ５１０Ａ〜Ｄは、相補的データを捕捉するセンサ５１０Ａ〜Ｄを識別し、グループ化することにより一緒にグループ化することができる。図５Ａに示されるように、博物館建物５０２の責任を負う民間セキュリティ会社は、博物館建物５０２内の活動を監視するセンサ５１０Ａ〜Ｄ及び５１２Ａ〜Ｄを有することができる。センサ５１０Ａは、５１４により示される範囲の領域内の動きを検出するように構成された動きセンサであり得る。幾つかの実施態様において、センサデータ表示モジュール２１６は、範囲５１４の領域内に位置する温度センサ５１０Ｂ〜Ｃを動きセンサ５１０Ａと一緒にグループ化することができる。動きセンサ５１０Ａの集団からの測定値は温度センサ５１０Ｂ〜Ｃからのデータと共に、博物館建物５０２における動きセンサ５１０Ａによる侵入者の検出を確認することができる。加えて、センサデータ表示モジュール２１６は、当該侵入者を識別するためのビデオデータにアクセスするために画像センサ５１０Ｄを追加することもできる。更に、センサ５１０Ａの範囲の領域の外側に位置するセンサ５１２Ａ〜Ｄは、当該センサのグループ化から除外することができる。
【００６８】
図５Ｂに示されるように、建物５０４は、該建物５０４内の保管領域からの放射性物質の可能性のある移動を監視するように構成されたセンサ５２０Ａ〜Ｄ及び５２２Ａ〜Ｄを備えた核保管施設であり得る。センサデータ表示モジュール２１６は、関連する範囲領域５２４を有する動きセンサ５２０Ａを放射線センサ５２０Ｂ〜Ｄと共にグループ化することができる。異なるタイプ（例えば、放射線及び動き）のセンサ５２０Ａ〜Ｄをグループ化することにより、責任組織は、１つのタイプのデータ（例えば、放射線）を他のタイプのデータ（例えば、動き）からの上昇した測定値を確認するために使用し、誤った肯定的判断の尤度を低減することができる。一例として、動きセンサ５２０Ａは建物５０４の保管領域の周囲の許可されていない動きを検出することができ、放射線センサ５２０Ｂ〜Ｄは、セキュリティ組織の注意を要するイベントの確認として、上記動きを建物５０４内の上昇した放射線測定値と相関させるために使用することができる。
【００６９】
図６は、幾つかの実施態様によるセンサの他の自動的グループ化を示す。前述したように、センサ６１０Ａは車両上に装備された移動型センサであり得る。一例において、該移動型センサは、ガンマ放射線を検出することができるＣＭＯＳチップを備えた無線携帯電話であり得る。幾つかの実施態様において、センサデータ表示モジュール２１６はセンサを移動型センサ６１０Ａの現在位置に基づいて動的にグループ化し及びグループ化解除することができる。一例として、移動型センサ６１０Ａは上昇した測定値を捕捉することができ、固定位置におけるセンサ６１０Ｂ〜Ｄが該移動型センサ６１０Ａと共にグループ化され得る。幾つかの実施態様において、固定センサ６１０Ｂ〜Ｄは、全て移動型センサ６１０Ａから或る距離内であり得るか、又は該移動型センサ６１０Ａの現在位置を含む可能範囲領域を有し得る。更に、移動型センサ６１０Ａから上記距離より遠くに位置するセンサ（例えば、６１４Ａ〜Ｄ）は、移動型センサ６１０Ａと一緒にグループ化され得ない。移動型センサ６１０Ａの位置が変化するにつれて、該移動型センサ６１０Ａの現在位置から上記距離内にあるセンサ６１２Ａ〜Ｃが当該集合に追加され得る。同時に、移動型センサ６１０Ａの最早近傍ではなくなった固定センサ６１０Ｂ〜Ｄは該移動型センサ６１０Ａからグループ化解除され得る。一例として、センサ６１０Ａは携帯放射線センサであり得る一方、センサ６１０Ｂ〜Ｄ及び６１２Ａ〜Ｃは放射性物質を運ぶ、可能性のある容疑者を識別するための画像センサであり得る。
【００７０】
図７は、幾つかの実施態様によるセンサの手動グループ化を示す。前述したように、センサはＧＵＩ上にグラフィック（図形）エレメント（例えば、アイコン、画像、形状等）により視覚的に表現することができる。幾つかの実施態様において、ＧＵＩはセンサを地図上に表示することができ、該ＧＵＩは手動選択によりセンサ７１０Ａ〜Ｆを一緒にグループ化するように動作することができる。例えば、ＧＵＩの地図上に表示されたセンサ７１０Ａ〜Ｆは、該センサ７１０Ａ〜Ｆの周りにボックス７２０を形成するマウス又は他の入力デバイスを用いたクリック＆ドラッグ選択によりグループ化することができる。更に、１以上のセンサ７１０Ａ〜Ｆは、グループ化されたセンサ７１０Ａ〜Ｆのうちの１以上を表す図形エレメントのクリック選択によりグループ化解除することができる。選択されなかったセンサ７１２Ａ〜Ｄは、センサ７１０Ａ〜Ｆの集団から除外される。一例として、センサ７１０Ａ〜Ｆは操作者によりＧＵＩを用いて（例えば、ラッソ（投げ縄）選択、クリック＆ドラッグ選択、クリック選択、コマンドライン、フリーテキストボックス等を介して）グループ化することができる。グループ化は、当該グループ内のセンサに関連する情報を表示するために使用することができる。一例において、グループ化は空港の関心領域を監視するために使用することができる。他の例として、操作者は同様の過去の測定値（例えば、ｍＳｖ値）を有するセンサ７１０Ａ〜Ｆを手動でグループ化することができ、当該集団における各センサ７１０Ａ〜Ｆに一様な条件（例えば、閾値）が適用され得るようにする。センサは、所望に応じて、操作者により該操作者の好みのセンサとしてグループ化することもできることが理解される。
【００７１】
上述した様に、手動でグループ化されたセンサ７１０Ａ〜Ｆからの警報又は測定値は、責任組織に対してイベントとして表示し又は送信することができる。センサ７１０Ａ〜Ｆの手動グループ化に対して或る条件を適用することができ、イベントがセンサ７１０Ａ〜Ｆのグループにおける該条件を満たす（例えば、特定の測定値レベルに到達する、或る範囲の測定値レベルを越える、等）１以上に基づいて起動されるようにする。幾つかの実施態様によれば、上記条件は、ユーザによりＧＵＩを介して手動で設定することができるか、又は経験則を介してのものであり得る。選択されたセンサ７１０Ａ〜Ｆは、各々が当該集団のセンサ７１０Ａ〜Ｆのタイプに適した自身の条件を持つ、種々のタイプのものであり得ることが分かる。
【００７２】
図８は、幾つかの実施態様によるセンサの他の手動グループ化を示す。本開示は特定の方法を使用してセンサを手動でグループ化するように構成されたＧＵＩを説明及び図示するが、本開示は何らかの好適な方法を用いてセンサを手動でグループ化するよう構成される如何なる好適なＧＵＩも想定するものである。幾つかの実施態様において、操作者は、種々のセンサのリストを含むＧＵＩを介してセンサの集団を形成することができる。ＧＵＩの例示的ワイヤフレーム８００は、センサを備える位置のリスト８０２及びグループ化されたセンサを備える位置のリスト８０４を含むことができる。操作者は、当該ＧＵＩに掲載された１以上の利用可能な位置を選択する（例えば、クリック選択）することにより、利用可能位置のリスト８０２から選択された位置のリスト８０４へ１以上の位置を移動することができる。他の実施態様において、操作者は、掲載された選択された位置８０４の１以上を選択（例えば、クリック選択）することにより、該選択された位置８０４からセンサをグループ化解除することができる。ＧＵＩは、更に、設定可能な開始又は終了時間によりグループ化された位置８０４のセンサに関するイベントを作成するよう構成することができる。
【００７３】
図９〜１１は、幾つかの実施態様によるセンサのための地図ビューを示す。前述したように、センサベース検出システム１０２は配備されたセンサの各々を監視及び管理するためにグラフィックユーザインターフェース（ＧＵＩ）を提供することができる。該ＧＵＩは、各センサの地理的前後関係での監視を可能にする地図ビュー９００を提供するように構成することができると共に、更に、一群のセンサ（例えば、地理的位置９０２のセンサ）のビューをズームイン及びアウト又は拡大若しくは縮小するために使用することができる。例えば、地図ビュー９００は例えばスライダ等の図形エレメントを用いて拡大又は縮小することができ、該地図ビュー９００が操作者により望まれる細かさで表示することができるようにする。地図ビュー９００は、地理的位置９０２を含む最大ズームアウトにすることができることが分かる。例えば、地図ビュー９００は空港９０２内のセンサに関連するデータを表示することができる。幾つかの実施態様において、地図ビュー９００は、当該センサに関連するデータを表示する、例えばアイコン等の図形エレメント９０４を含むことができる。一例として、図形エレメント９０４は地理的位置９０２内のセンサの数を示すことができる。以下に示すように、例えばポップアップウインドウ等の追加の図形エレメントが、当該操作者が上記図形エレメント９０４と対話することに応答して当該センサに関する追加の情報を提供することができる。本開示は例示的構成の図形エレメントを有する地図ビューを図示及び説明しているが、本開示は何らかの適切な構成の図形エレメントを有する如何なる好適な地図ビューも想定するものである。
【００７４】
地理的位置９０２の地図ビュー９００は、該地理的位置９０２の一層詳細な地図ビュー１０００を表示するために拡大又はズームインすることができる。図１０に示されるように、地理的位置９０２は建物１００６Ａ〜Ｂ（例えば、空港ターミナル）及び該地理的位置９０２の各建物（例えば、１００６Ａ〜Ｂ）におけるセンサに関する情報を表示する図形エレメント１００４Ａ〜Ｄを含むことができる。図形エレメント１００４Ａ〜Ｄは、センサの集団、各建物（例えば、１００６Ａ〜Ｂ）内に位置するセンサの数、センサの状態に関する情報、センサの状況、センサの測定値、センサに関連するメタデータ、センサの地理情報的位置等を示すことができる。例えば、図形エレメント１００４Ｂ〜Ｄは関連するセンサが公称状態を有することを示すことができる一方、図形エレメント１００４Ａは関連するセンサが上昇した測定値を有するとの視覚的指示情報を提供することができる。前述したように、上昇した測定値と示された状況のセンサは、閾値より高い又は或る値の範囲外の測定値を含み得る。一例として、図形エレメント１００４Ａにより示されたセンサは一緒にグループ化することができる。他の例として、図形エレメント１００４Ｂにより示されたセンサは、該図形エレメント１００４Ｂを選択（例えば、クリック選択）することにより、図形エレメント１００４Ａのセンサと一緒にグループ化することができる。
【００７５】
地図ビュー１０００は、図１１に示されるように、該地理的位置の一層詳細な地図ビュー１１００を表示するために拡大又はズームインすることができる。例えば空港ターミナル等の建物１１０６Ａ〜Ｂの形状は、一層の細部を伴って表示することができ、図形エレメント１１０４Ａ〜Ｅは各建物１１０６Ａ〜Ｂ内のセンサの位置に対応し得る。前述したように、図形エレメント１１０４Ａ〜Ｅは、各建物１１０６Ａ〜Ｂ内に位置するセンサの数、センサの警報レベル、センサの状況、センサの測定値、センサのタイプ、センサの地理情報的位置、センサを所有する又は該センサの責任を負う組織等に関連する情報を表示することができる。例えば、図形エレメント１１０４Ａ〜Ｅに関連する数は、これらの地理的座標（例えば、緯度及び経度）を持つセンサの数を示すことができる。他の例として、図形エレメント１１０４Ａ〜Ｅに関連する数は、当該センサが高い測定値を有することを示すことができる。１より大きな数を持つ図形エレメント１１０４Ａ〜Ｅは、同一の地理的座標を有するが、異なる測地高度（例えば、建物１１０６Ａ〜Ｂの異なるフロア）を有する複数のセンサを示すことができる。地図ビュー１１００は、図１２に示されるように、当該地理的位置の追加の細部を伴う地図ビュー１２００を表示するために拡大又はズームインすることができる。建物１２０６及びその周囲の領域は、より多くの細部を伴って表示することができ、図形エレメント１２０４Ａ〜Ｃの配置は建物１２０６の位置及び各センサの状態に対応し得る。
【００７６】
前述したように、ＧＵＩはユーザの対話に応答して情報をレンダリングするために使用することもできる。図１３に示されるように、建物１３０６に関連する情報は、ユーザ対話に応答して地図ビュー１３００にレンダリング又は表示することができる。建物１３０６の例示的情報は、建物の名称、地理的座標、アドレス、フロア数、物理的大きさ、寸法、責任団体、建物のタイプ等を含むことができる。例えば、建物１３０６の情報を表示するポップアップウインドウ１３０２を、ユーザがカーソルを建物１３０６上に移動させたことを検出することに応答して、地図ビュー１３００にレンダリングすることができる。ポップアップウインドウ１３０２は、建物１３０６の異なる部分（例えば、フロア）におけるセンサの位置を示すアイコン１３０４を表示するためのドロップダウンメニュを含むことができる。幾つかの実施態様において、ポップアップウインドウ１３０２は、操作者が建物１３０６の１以上のセンサをセンサの集合に手動でグループ化する又はグループ化解除することを可能にするよう構成されたメニュを含むことができる。幾つかの実施態様においては、追加の情報をユーザ選択に応答してレンダリングすることができる。例えば、ターミナルＡにおけるセンサに関する情報を、該センサのユーザ選択に応答して表示することができる。同様に、或るグループのセンサに関する情報を、該グループのユーザ選択に応答して表示することができる。
【００７７】
図１４に示されるように、建物１４０６のセンサ１４０４の情報を、ユーザ対話に応答して地図ビュー１４００にレンダリング又は表示することができる。図形エレメント１４０４に関連するセンサに関する例示的情報は、センサのデータ（例えば、測定値）又はセンサのメタデータ（例えば、名称、センサのタイプ、製造者、位置名、地理的座標、等）を含むことができる。例えば、図形エレメント１４０４に関連するセンサに関する情報を表示するポップアップウインドウ１４０２は、ユーザがカーソルをアイコン１４０４上に移動させた又はユーザがアイコン１４０４を選択したことを検出することに応答して地図ビュー１４００にレンダリングすることができる。更に、ポップアップウインドウ１４０２は，センサ１４０４とグループ化されたセンサのリストを含むことができる。
【００７８】
図１５は、幾つかの実施態様によるセンサベース検出システム内のデータ相互作用を示す。幾つかの実施態様において、センサベース検出システム１０２のコントローラ１５４０はセンサ１５１０〜１５１２からデータを受信することができる。センサ１５１０〜１５１２からのデータは、記憶部１５７０に記憶することができる。一例として、記憶部１５７０はデータ記憶部２０６を含むことができる。幾つかの実施態様において、コントローラ１５４０はセンサ１５１０〜１５１２を自動的に一緒にグループ化することができる。一例として、センサ１５１０〜１５１２は経験則（例えば、特定の閾より高い測定値）に基づいて一緒にグループ化され得る。更に、グループ化されたセンサ１５１０〜１５１２のデータは記憶部１５７０上で動的データ構造に記憶され得る。操作者は、コントローラ１５４０と、表示器１５８０上にレンダリングされたＧＵＩを介して及びセンサ１５１０〜１５１２のＧＵＩリクエストデータを介して対話することができる。操作者の対話は、カーソルをセンサのグループ上に静止させること、グループを選択すること、センサ又はセンサのグループに関連する地理的位置を選択すること等であり得ることが理解される。センサ１５１０〜１５１２のデータを取り出すために、ＧＵＩを介してコマンドをコントローラ１５４０に送信することができる。コントローラ１５４０は記憶部１５７０上に記憶されたセンサ１５１０〜１５１２のデータにアクセスし、該センサデータを表示器１５８０に送信することができる。一事例において、センサ１５１０〜１５１２のデータはＧＵＩによりレンダリングすることができる。
【００７９】
図１６は、幾つかの実施態様によるセンサをグループ化するためのフローチャート１６００を示す。ステップ１６１０において、第１検出センサに関連するデータが受信される。図１に示されたように、センサベース検出システム１０２はネットワーク１０６を介してセンサ１１０〜１１４からデータを受信することができる。ステップ１６２０においては、第２検出センサに関連するデータが受信される。前述したように、第１及び第２検出センサは、温度、電磁、光、画像、粒子、ガイガーカウンタ、機械式、生物学的、化学センサ又はこれらの何れかの組み合わせとすることができる。ステップ１６３０において、第１検出センサ及び第２検出センサは一緒にグループ化される。特別な実施態様において、上記グループ化は、特定の条件を満足する第１検出センサ及び第２検出センサに関連するデータに基づいて実行される。例えば、該特定の条件は、第１検出センサ及び第２検出センサが互いに特定の距離内にあることであり得る。他の例として、上記特定の条件は、第１検出センサに関連する測定値が第１の所定の閾値内であり、第２検出センサに関連する測定値が第２の所定の閾値内であるか、であり得る。
【００８０】
図１７は、幾つかの実施態様によるセンサをグループ化するための他のフローチャート１７００を示す。ステップ１７１０において、第１検出センサに関連するデータが受信される。図１に示されたように、センサベース検出システム１０２はネットワーク１０６を介してセンサ１１０〜１１４からデータを受信することができる。ステップ１７２０において、第２検出センサは、該第２センサが特定の条件を満たすというデータに基づいて識別される。例えば、センサデータ表示モジュール２１６は第２検出センサを、該第２検出センサの測定値が所定の値の範囲外であると判定することにより識別することができる。他の例として、センサデータ表示モジュール２１６は第２検出センサを、該第２検出センサが第１検出センサに対して特定の距離内にあると判定することにより識別することができる。他の例として、センサデータ表示モジュール２１６は第２検出センサを、図４に関連して説明したように、該第２検出センサが第１検出センサと同一のタイプの検出センサであると判定することにより識別することができる。他の例として、センサデータ表示モジュール２１６は第２検出センサを、図５で説明したように、該第２検出センサが第１検出センサの能力範囲の領域内にあると判定することにより識別することができる。ステップ１７３０において、第１検出センサは、識別された第２放射線検出センサと一緒にグループ化される。
【００８１】
図１８は、幾つかの実施態様によるセンサベース検出システム内の他の例示的データ相互作用を示す。幾つかの実施態様において、センサベース検出システム１０２のコントローラ１８４０はセンサ１８１０〜１８１２からデータを受信することができる。センサ１８１０〜１８１２からのデータは、記憶部１８７０に記憶することができる。一例として、記憶部１８７０はデータ記憶部２０６を含むことができる。操作者は、表示器１８８０上にレンダリングされたＧＵＩを介してコントローラ１８４０と対話することができ、該ＧＵＩを介してセンサ１８１０〜１８１２を手動でグループ化することができる。一例として、操作者は、ＧＵＩとの対話、例えばクリック＆ドラッグ選択を介してセンサ１８１０〜１８１２を一緒にグループ化することができる。更に、グループ化されたセンサ１８１０〜１８１２のデータは記憶部１８７０上でデータ構造に記憶され得る。センサ１８１０〜１８１２のデータを取り出すために、ＧＵＩを介して後続のコマンドをコントローラ１８４０に送信することができる。コントローラ１８４０は記憶部１８７０上に記憶されたセンサ１８１０〜１８１２のデータにアクセスし、該センサデータを表示器１８８０に送信することができる。一事例において、センサ１８１０〜１８１２のデータはＧＵＩによりレンダリングすることができる。
【００８２】
図１９は、幾つかの実施態様によるセンサを手動でグループ化するためのフローチャート１９００を示す。ステップ１９１０において、第１及び第２検出センサを選択する入力が受信される。前述したように、該入力はグラフィックユーザインターフェースを介して受信される第１検出センサ及び第２検出センサのユーザ選択である。幾つかの実施態様において、該ユーザ選択は、グラフィックユーザインターフェースを介して受信される第１検出センサ及び第２検出センサのドラッグ＆クリック選択を含む。ステップ１９２０において、第１検出センサ及び第２検出センサは上記入力を受信することに応答して一緒にグループ化される。ステップ１９３０においては、第１及び第２検出センサに関連するデータがデータ構造に記憶される。図１に図示したように、センサベース検出システム１０２はネットワーク１０６を介してセンサ１１０〜１１４からデータを受信することができる。前述したように、第１及び第２検出センサは、温度、電磁、光、画像、粒子、ガイガーカウンタ、機械式、生物学的、化学的センサ又はこれらの何れかの組み合わせであり得る。
【００８３】
図２０は、幾つかの実施態様によるセンサを手動でグループ化するための他のフローチャート２０００を示す。ステップ２０１０において、第１及び第２検出センサを選択する入力が受信される。前述したように、該入力はグラフィックユーザインターフェースを介して受信される第１検出センサ及び第２検出センサのユーザ選択である。幾つかの実施態様において、該ユーザ選択は、グラフィックユーザインターフェース上にレンダリングされた地図オーバーレイ上での第１検出センサ及び第２検出センサのクリック選択を含む。ステップ２０２０において、第１検出センサ及び第２検出センサは上記入力を受信することに応答して一緒にグループ化される。ステップ２０３０においては、第１及び第２検出センサに関連するデータが受信される。図１に図示したように、センサベース検出システム１０２はネットワーク１０６を介してセンサ１１０〜１１４からデータを受信することができる。前述したように、第１及び第２検出センサは、温度、電磁、光、画像、粒子、ガイガーカウンタ、機械式、生物学的、化学的センサ又はこれらの何れかの組み合わせであり得る。幾つかの実施態様において、第１及び第２センサのデータはデータ構造に記憶される。
【００８４】
図２１は、幾つかの実施態様によるコンピュータシステムを示す。図２１に示されるように、実施態様を構成するシステムモジュールは、計算システム環境２１００等の汎用計算システム環境を含んでいる。計算システム環境２１００は、これらに限定されるものではないが、サーバ、スイッチ、ルータ、デスクトップコンピュータ、ラップトップ、タブレット、モバイル装置及びスマートフォンを含むことができる。最も基本的な構成において、計算システム環境２１００は、典型的に、少なくとも１つの処理ユニット２１０２及びコンピュータ読取可能な記憶媒体２１０４を含む。計算システム環境の正確な構成及びタイプに依存して、コンピュータ読取可能な記憶媒体２１０４は揮発性（ＲＡＭ等の）、不揮発性（ＲＯＭ、フラッシュメモリ等の）又はこれら２つの何らかの組み合わせとすることができる。コンピュータ読取可能な記憶媒体２１０４の一部は、実行された場合に、イベントのチケット（例えば、処理１６００、１７００、１９００及び２０００）を管理する。
【００８５】
更に、種々の実施態様において、計算システム環境２１００は他の特徴／機能も有することができる。例えば、計算システム環境２１００は、これらに限定されるものではないが磁気又は光ディスク若しくはテープを含む追加の記憶部（取外し可能な又は取外し不能な）を含むこともできる。このような追加の記憶部は、取外し可能な記憶部２１０８及び取外し不能な記憶部２１１０により示されている。コンピュータ記憶媒体は、コンピュータ読取可能な命令、データ構造、プログラムモジュール又は他のデータ等の情報の記憶のための何らかの方法若しくは技術により実施化された揮発性及び不揮発性、取外し可能な及び取外し不能な媒体を含む。コンピュータ読取可能な媒体２１０４、取外し可能な記憶部２１０８及び取外し不能な記憶部２１１０は、全て、コンピュータ記憶媒体の例である。コンピュータ記憶媒体は、これらに限定されるものではないが、ＲＡＭ、ＲＯＭ、EEPROM、フラッシュメモリ若しくは他のメモリ技術、拡張可能なメモリ（例えば、ＵＳＢスティック、コンパクトフラッシュ（登録商標）カード、ＳＤカード）、CD-ROM、デジタル汎用ディスク（ＤＶＤ）若しくは他の光記憶部、磁気カセット、磁気テープ、磁気ディスク記憶部若しくは他の磁気記憶装置、又は所望の情報を記憶するために使用することができると共に計算システム環境２１００によりアクセスすることが可能な何らかの他の媒体を含む。如何なる斯様なコンピュータ記憶媒体も、計算システム環境２１００の一部であり得る。
【００８６】
幾つかの実施態様において、計算システム環境２１００は、他の装置と通信することを可能にする通信接続部（又は複数の通信接続部）２１１２も含むことができる。通信接続部２１１２は通信媒体の一例である。通信媒体は、典型的に、コンピュータ読取可能な命令、データ構造、プログラムモジュール又は他のデータを、搬送波等の変調されたデータ信号又は他の伝送メカニズムで具現化すると共に、如何なる情報配信媒体も含む。“変調されたデータ信号”なる用語は、当該信号内に情報をコード化するような態様で自身の特性の１以上を設定又は変化させる信号を意味する。限定としてではなく例示として、通信媒体は、有線ネットワーク又は直接配線接続等の有線媒体、並びに音響、ＲＦ、赤外線及び他の無線媒体等の無線媒体を含む。本明細書で使用されるコンピュータ読取可能な媒体なる用語は、記憶媒体及び通信媒体の両方を含む。
【００８７】
通信接続部２１１２は、計算システム環境２１００が、これらに限定されるものではないがファイバチャンネル、小型コンピュータシステムインターフェース（ＳＣＳＩ）、ブルートゥース、イーサネット（登録商標）、Wi-Fi、赤外線データ協会（IrDA）方式、ローカルエリアネットワーク（ＬＡＮ）、無線ローカルエリアネットワーク（ＷＬＡＮ）、インターネット等の広域ネットワーク（ＷＡＮ）、直列及び汎用直列バス（ＵＳＢ）を含む種々のネットワークタイプを介して通信することを可能にし得る。該通信接続部２１１２がつながる上記種々のネットワークタイプは、これらに限定されるものではないが、伝送制御プロトコル（ＴＣＰ）、ユーザデータグラムプロトコル（ＵＤＰ）、インターネットプロトコル（ＩＰ）、リアルタイム伝送プロトコル（ＲＴＰ）、リアルタイム伝送制御プロトコル（ＲＴＣＰ）、ファイル伝送プロトコル（ＦＴＰ）及びハイパーテキスト伝送プロトコル（ＨＴＴＰ）を含む複数のネットワークプロトコルを実行することができることが分かる。
【００８８】
他の実施態様において、計算システム環境２１００は、キーボード、マウス、端末又は端末エミュレータ（テルネット、ＳＳＨ、ｈｔｔｐ、ＳＳＬ等を介して接続されるか又は遠隔的にアクセス可能な）、ペン、音声入力装置、タッチ入力装置、リモートコントローラ等の入力装置（又は複数の入力装置）２１１４も有することができる。表示器（ディスプレイ）、端末又は端末エミュレータ（テルネット、ＳＳＨ、ｈｔｔｐ、ＳＳＬ等を介して接続されるか又は遠隔的にアクセス可能な）、スピーカ、発光ダイオード（ＬＥＤ）等の出力装置（又は複数の出力装置）２１１６も含まれ得る。これらの全ての装置は当業技術において良く知られているので、長々とは説明しない。
【００８９】
一実施態様において、コンピュータ読取可能な記憶媒体２１０４は、データ記憶部２１２２、状態変化マネージャ２１２６、センサデータ表示器モジュール２１２８及び視覚化モジュール２１３０を含む。データ記憶部２１２２は、前述したデータ記憶部２０６と同様のものとすることができ、例えばフローチャート１６００、１７００、１９００及び２０００に従って第１及び第２検出センサに関連するデータを記憶するように動作する。状態変化マネージャ２１２６は、前述した状態変化マネージャ２０８と同様のものとすることができ、第１及び第２放射線検出センサのデータが特定の条件を満たすかを判定するために使用することができる。センサデータ表示モジュール２１２８は、前述したセンサデータ表示モジュール２１６と同様のものとすることができ、フローチャート１６００、１７００、１９００及び２０００に関して説明したように、第１及び第２放射線検出センサが特定の条件を満たすかの判定に基づいて第１放射線検出センサ及び第２放射線検出センサを一緒にグループ化するように動作することができる。視覚化モジュール２１３０は、フローチャート１６００、１７００、１９００及び２０００に関して説明したように、第１検出センサに関連するデータの一部をレンダリングするように動作する。
【００９０】
コンピュータシステムに関連して説明された本発明の実施態様による構成は、単なる例示であって、本発明の範囲を限定しようとするものではないことが理解される。例えば、本発明の実施態様は、特定用途向け集積回路（ＡＳＩＣ）、フィールドプログラマブルゲートアレイ（ＦＰＧＡ）等を含み得るスイッチ及びルータ等の装置上で構成することもできる。これらの装置は、フローチャート１６００、１７００、１９００及び２０００による方法を実施するための命令を記憶するためのコンピュータ読取可能な媒体を含むことができることが分かる。
【００９１】
図２２は、幾つかの実施態様による他のコンピュータシステムのブロック図を示す。図２２は、本開示を実施するのに適したコンピュータシステム２２００のブロック図を示している。該コンピュータシステム２２００はバス２２１２を含み、該バスは、中央プロセッサ２２１４、システムメモリ２２１７（典型的にはＲＡＭであるが、ＲＯＭ又はフラッシュＲＡＭ等を含むこともできる）、入力／出力コントローラ２２１８、オーディオ出力インターフェース２２２２を介するスピーカシステム２２２０等の外部オーディオ装置、ディスプレイアダプタ２２２６を介する表示スクリーン２２２４等の外部装置、直列ポート２２２８及び２２３０、キーボード２２３２（キーボードコントローラ２２３３によりインターフェースされた）、記憶部インターフェース２２３４、フロッピー（登録商標）ディスク２２３８を受け入れるように動作するフロッピー（登録商標）ディスクユニット２２３７、ファイバチャンネルネットワーク２２９０と接続するように動作するホストバスアダプタ（ＨＢＡ）インターフェースカード２２３５Ａ、ＳＣＳＩバス２２３９に接続するように動作するホストバスアダプタ（ＨＢＡ）インターフェースカード２２３５Ｂ、並びに光ディスク２２４２を受け入れるように動作する光ディスクドライブ２２４０等の当該コンピュータシステム２２００の主要なサブシステムを相互接続する。マウス２２４６（又は、直列ポート２２２８を介してバス２２１２に結合される他のポイント＆クリック装置）、モデム２２４７（直列ポート２２３０を介してバス２２１２に結合された）、及びネットワークインターフェース２２４８（バス２２１２に直接結合される）も含まれている。ネットワークインターフェース２２４８は、１以上のイーサネット（登録商標）ポート、無線ローカルエリアネットワーク（ＷＬＡＮ）インターフェース等を含むことができるが、これらに限定されるものではない。システムメモリ２２１７は、センサ測定値を或る条件と比較することに基づいてセンサをグループ化するように動作するセンサグループ化モジュール２２５０を含む。一実施態様によれば、センサグループ化モジュール２２５０は、種々のタスクを実行するための他のモジュールを含むことができる。例えば、センサグループ化管理モジュール２２５０は、図２１を参照して前述したデータ記憶部２１２２、状態変化マネージャ２１２６、センサデータ表示モジュール２１２８及び視覚化モジュール２１３０を含むことができる。センサグループ化モジュール２２５０は、当該システムの何処かに配置することができ、システムメモリ２２１７に限定されるものではないことが理解される。かくして、該センサグループ化モジュール２２５０のシステムメモリ２２１７内の存在は、例示的なものに過ぎず、本発明の範囲を限定しようとするものではない。例えば、センサグループ化モジュール２２５０の一部は、中央プロセッサ２２１４及び／又はネットワークインターフェース２２４８内に存在することもできるが、これに限られるものではない。
【００９２】
バス２２１２は中央プロセッサ２２１４とシステムメモリ２２１７との間の通信を可能にし、上記システムメモリは、前述したように、読出専用メモリ（ＲＯＭ）又はフラッシュメモリ（共に、図示略）及びランダムアクセスメモリ（ＲＡＭ）（図示略）を含むことができる。上記ＲＡＭは、通常、オペレーティングシステム及びアプリケーションプログラムがロードされる主メモリである。上記ＲＯＭ又はフラッシュメモリは、他のコードのなかでも、周辺機器との相互作用等の基本的ハードウェア処理を制御する基本入力／出力システム（ＢＩＯＳ）を格納することができる。コンピュータシステム２２００に常駐するアプリケーションは、通常、ハードディスクドライブ（例えば、固定ディスク２２４４）、光ドライブ（例えば、光ディスクドライブ２２４０）、フロッピー（登録商標）ディスクユニット２２３７又は他の記憶媒体等のコンピュータ読取可能な媒体上に記憶され、斯かる媒体を介してアクセスされる。更に、アプリケーションは、ネットワークモデム２２４７又はネットワークインターフェース２２４８を介してアクセスされた場合に当該アプリケーション及びデータ通信技術に従って変調される電気信号の形態でもあり得る。
【００９３】
記憶部インターフェース２２３４は、当該コンピュータシステム２２００の他の記憶部インターフェースと同様に、固定ディスクドライブ２２４４等の情報の記憶及び／又は取り出しのための標準的コンピュータ読取可能な媒体に接続することができる。固定ディスクドライブ２２４４は、当該コンピュータシステム２２００の一部とすることができるか、又は別体とし、他のインターフェースシステムを介してアクセスされるものとすることができる。ネットワークインターフェース２２４８は他の装置に対する複数の接続を提供することができる。更に、モデム２２４７は、電話回線を介して遠隔サーバへの、又はインターネットサービスプロバイダ（ＩＳＰ）を介してインターネットへの直接接続を提供することができる。ネットワークインターフェース２２４８は、データネットワークに対する１以上の接続を提供することができ、該データネットワークは如何なる数のネットワーク化装置も含むことができる。ネットワークインターフェース２２４８を介しての接続は、ＰＯＰ（ポイント・オブ・プレゼンス）を介するインターネットへの直接ネットワークリンクを介しての遠隔サーバへの直接接続を介してのものとすることができることが理解される。ネットワークインターフェース２２４８は、斯様な接続を、デジタルセルラ電話接続、セルラデジタルパケットデータ（ＣＤＰＤ）接続又はデジタル衛星データ接続等を含む無線技術を用いて提供することができる。
【００９４】
多数の他の装置又はサブシステム（図示略）を同様の態様で接続することができる（例えば、ドキュメントスキャナ、デジタルカメラ等）。逆に、本開示を実施するために図２２に示された装置の全てが存在する必要もない。これら装置及びサブシステムは、図２２に示されたものとは異なる方法で相互接続することもできる。図２２に示されたもののようなコンピュータシステムの動作は、当業分野において良く知られており、本出願では詳細に説明しない。本開示を実施するためのコードは、システムメモリ２２１７、固定ディスク２２４４、光ディスク２２４２又はフロッピー（登録商標）ディスク２２３８の１以上等のコンピュータ読取可能な記憶媒体に記憶することができる。コンピュータシステム２２００上に設けられるオペレーティングシステムは、ＭＳ−ＤＯＳ（登録商標）、ＭＳ−ＷＩＮＤＯＷＳ（登録商標）、ＯＳ／２（登録商標）、ＵＮＩＸ（登録商標）、Ｌｉｎｕｘ（登録商標）又は如何なる他のオペレーティングシステムとすることもできる。
【００９５】
更に、本明細書に記載された信号に関して、当業者であれば、信号は第１ブロックから第２ブロックへ直接送信することができ、又は信号はブロック間で変化させることができる（例えば、増幅される、減衰される、遅延される、ラッチ（一時保持）される、バッファリングされる、反転される、フィルタリングされる、又はそれ以外で変化される）ことを理解するであろう。上述した実施態様の信号は或るブロックから次のブロックへ送信されることを特徴としているが、本開示の他の実施態様は、当該信号の情報的及び／又は機能的側面がブロック間で送信される限りにおいて、斯様な直接的に送信される信号の代わりに変更された信号を含むこともできる。或る程度、第２ブロックにおける信号入力は、関連する回路の物理的制限（例えば、不可避的に幾らかの減衰及び遅延が存在する）により、第１ブロックから出力される第１信号から導出される第２信号として概念化することができる。従って、本明細書で使用される場合、第１信号から導出される第２信号は、回路の制限によるか又は当該第１信号の情報的及び／又は最終の機能的側面を変化させない他の回路要素を通過することによるかに拘わらず、上記第１信号又は該第１信号に対する如何なる修正も含む。
【００９６】
上述した記載は、説明の目的で、特定の実施態様を参照して説明された。しかしながら、上記解説的説明は、網羅的であることを又は本発明を開示された正確な形態に限定することを意図するものではない。上述した教示を考慮すれば、多くの修正例及び変更例が可能である。  
【図１】
2016024822.tif 000003
【図２】
2016024822.tif 000004
【図３Ａ】
2016024822.tif 000005
【図３Ｂ】
2016024822.tif 000006
【図３Ｃ】
2016024822.tif 000007
【図４Ａ】
2016024822.tif 000008
【図４Ｂ】
2016024822.tif 000009
【図４Ｃ】
2016024822.tif 000010
【図５Ａ】
2016024822.tif 000011
【図５Ｂ】
2016024822.tif 000012
【図６】
2016024822.tif 000013
【図７】
2016024822.tif 000014
【図８】
2016024822.tif 000015
【図９】
2016024822.tif 000016
【図１０】
2016024822.tif 000017
【図１１】
2016024822.tif 000018
【図１２】
2016024822.tif 000019
【図１３】
2016024822.tif 000020
【図１４】
2016024822.tif 000021
【図１５】
2016024822.tif 000022
【図１６】
2016024822.tif 000023
【図１７】
2016024822.tif 000024
【図１８】
2016024822.tif 000025
【図１９】
2016024822.tif 000026
【図２０】
2016024822.tif 000027
【図２１】
2016024822.tif 000028
【図２２】
2016024822.tif 000029
【外国語明細書】
2016024822.tif 000030
2016024822.tif 000031
2016024822.tif 000032
2016024822.tif 000033
2016024822.tif 000034
2016024822.tif 000035
2016024822.tif 000036
2016024822.tif 000037
2016024822.tif 000038
2016024822.tif 000039
2016024822.tif 000040
2016024822.tif 000041
2016024822.tif 000042
2016024822.tif 000043
2016024822.tif 000044
2016024822.tif 000045
2016024822.tif 000046
2016024822.tif 000047
2016024822.tif 000048
2016024822.tif 000049
2016024822.tif 000050
2016024822.tif 000051
2016024822.tif 000052
2016024822.tif 000053
2016024822.tif 000054
2016024822.tif 000055
2016024822.tif 000056
2016024822.tif 000057
2016024822.tif 000058
2016024822.tif 000059
2016024822.tif 000060
2016024822.tif 000061
2016024822.tif 000062
2016024822.tif 000063
2016024822.tif 000064
2016024822.tif 000065
2016024822.tif 000066
2016024822.tif 000067
2016024822.tif 000068
2016024822.tif 000069
2016024822.tif 000070
2016024822.tif 000071
2016024822.tif 000072
2016024822.tif 000073
2016024822.tif 000074
2016024822.tif 000075
2016024822.tif 000076
2016024822.tif 000077
2016024822.tif 000078
2016024822.tif 000079
2016024822.tif 000080
2016024822.tif 000081
2016024822.tif 000082
2016024822.tif 000083
2016024822.tif 000084
2016024822.tif 000085
2016024822.tif 000086
2016024822.tif 000087
2016024822.tif 000088
2016024822.tif 000089
2016024822.tif 000090
2016024822.tif 000091
2016024822.tif 000092
2016024822.tif 000093
2016024822.tif 000094